【手続補正書】
【提出日】平成16年7月14日(2004.7.14)
【手続補正１】
【補正対象書類名】明細書
【補正対象項目名】発明の名称
【補正方法】変更
【補正の内容】
【発明の名称】電力供給システムおよび電力源に力率補正を提供するシステム並びにこれらの方法
【手続補正２】
【補正対象書類名】明細書
【補正対象項目名】特許請求の範囲
【補正方法】変更
【補正の内容】
【特許請求の範囲】
【請求項１】  負荷に電力を供給するシステムであって、
前記負荷に電力を供給する第１および第２電源であって、前記電源が前記電源の可変スイッチング周波数と前記電源によって前記負荷へ供給される電力との間に類似した関係を持つものと、
前記第１および第２電源の少なくとも一方に接続されて、前記第１および第２電源のそれぞれ第１および第２スイッチング周波数を互いに相手のものにロックして各電源によって前記負荷に供給される電力を実質的に均等化するための位相検出手段と、
を有する電力供給システム。
【請求項２】  前記位相検出手段が、前記第１および第２電源の一方のスイッチング周波数を前記第１および第２電源の他方のスイッチング周波数にロックする請求項１に記載のシステム。
【請求項３】  前記位相検出手段によって生成された誤差信号も反転されて前記第１および第２電源の他方に結合される請求項１に記載のシステム。
【請求項４】  前記第１および第２電源が相互に並列結合される請求項１に記載のシステム。
【請求項５】  前記位相検出手段が前記第１および第２スイッチング周波数を相互にロックして前記第１および第２電源の各々によって前記負荷へ供給される電流を実質的に均等化する請求項４に記載のシステム。
【請求項６】  前記第１および第２スイッチング周波数の位相が実質的に１８０度ずれている請求項５に記載のシステム。
【請求項７】  前記第１および第２電源に供給される入力電流のリップル電流成分が実質的に消去される請求項６に記載のシステム。
【請求項８】  前記第１および第２電源が相互に直列結合される請求項１に記載のシステム。
【請求項９】  前記位相検出手段が前記第１および第２スイッチング周波数を相互にロックして前記第１および第２電源の各々によって前記負荷へ供給される電圧を実質的に均等化する請求項８に記載のシステム。
【請求項１０】  前記電源によって供給される出力電圧を調整するための前記第１および第２電源の各々に関するフィードバックループと、
前記位相検出手段に結合され位相ロックループを提供する電圧制御発振器であって、前記位相ロックループの帯域幅が前記フィードバックループの帯域幅以上であるものと、
をさらに有する請求項１に記載のシステム。
【請求項１１】  電力源に力率補正を提供するシステムであって、
前記電力源に入力電力を供給する第１および第２電源であって、前記電源の各々が前記電源によって供給される電力と前記電源のスイッチング周波数との間に或る関係を持ち、前記関係は線形または非線形のどちらか、及び、直接または反転のどちらかであり得て、前記第１および第２電源が類似のこのような関係を持つものと、
前記第１および第２電源のそれぞれ第１および第２スイッチング周波数を互いに相手のものにロックして各電源によって前記電力源に供給される入力電力を実質的に均等化するための位相検出手段と、
を有する電力源に力率補正を提供するシステム。
【請求項１２】  位相ロックループを提供する前記位相検出手段に結合された電圧制御発振器をさらに有し、前記位相ロックループの帯域幅が前記第１および第２電源への入力信号の周波数より著しく大きい請求項１１に記載のシステム。
【請求項１３】  前記電源の各々が前記電源によって供給される電力と前記電源のスイッチング周波数との間に或る非線形関係を持つ請求項１２に記載のシステム。
【請求項１４】  前記電源の各々が前記電源によって供給される電力と前記電源のスイッチング周波数との間に或る反転関係を持つ請求項１３に記載のシステム。
【請求項１５】  前記電源の各々が昇圧コンバータを有する請求項１４に記載のシステム。
【請求項１６】  負荷に電力を供給する方法であって、
可変スイッチング周波数と前記負荷に供給する電力との間に類似した関係を持つ第１電源と第２電源を選択するステップと、
前記第１および第２電源のそれぞれ第１および第２スイッチング周波数の少なくとも一方を変更するステップと、
誤差信号を生成するステップと、
前記第１および第２電源の一方に前記誤差信号を結合して前記スイッチング周波数を相互にロックし、前記電源の各々によって前記負荷に供給される電力を実質的に均等化するステップと、
を含む電力供給方法。
【請求項１７】  前記第１および第２電源の前記一方のスイッチング周波数を前記第１および第２電源の他方のスイッチング周波数にロックするステップをさらに含む請求項１６に記載の方法。
【請求項１８】  前記誤差信号を反転し、かつ前記第１および第２電源の他方に結合するステップをさらに含む請求項１６に記載の方法。
【請求項１９】  前記第１電源と第２電源を並列結合するステップをさらに含む請求項１６に記載の方法。
【請求項２０】  前記ロックするステップにおいて、前記第１および第２スイッチング周波数を相互にロックして、前記第１および第２電源によって前記負荷へ供給される電流を実質的に均等化するステップを含む請求項１９に記載の方法。
【請求項２１】  前記第１と第２スイッチング周波数を相互に実質的に１８０度位相ずれするように設定するステップをさらに含む請求項２０に記載の方法。
【請求項２２】  前記第１および第２電源に供給される入力電流のリプル電流成分を実質的に消去するステップをさらに含む請求項２１に記載の方法。
【請求項２３】  前記第１電源と第２電源を直列結合するステップをさらに含む請求項１６に記載の方法。
【請求項２４】  前記ロックするステップにおいて、前記第１と第２スイッチング周波数を相互にロックする前記第１および第２電源によって前記負荷へ供給される電圧を実質的に均等化するステップを含む請求項２３に記載の方法。
【請求項２５】  誤差信号を生成するステップと、
前記第１および第２電源の少なくとも一方の可変周波数コントローラへ前記誤差信号を結合して位相ロックループを提供するステップと、
帯域幅が前記位相ロックループの帯域幅以下のフィードバックループを用いて、前記電源によって供給される出力電圧を調整するステップと、
をさらに含む請求項１６に記載の方法。
【請求項２６】  電力源へ力率補正を提供する方法であって、
スイッチング周波数と前記電力源に供給された入力電力との間の類似した関係を持つ第１電源と第２電源を選択するステップと、
前記第１および第２電源それぞれの第１および第２スイッチング周波数の少なくとも一方を設定するステップであって、前記スイッチング周波数がそれらのそれぞれの電源によって供給された電力に対して線形または非線形のどちらか、及び、直接または反転のどちらかであり得る関係を持つものと、
位相検出を用いて前記スイッチング周波数を相互にロックして、前記電源の各々によって前記電力源に供給された入力電力を実質的に均等化するステップと、
を含む電力源へ力率補正を提供する方法。
【請求項２７】  前記ロックするステップにおいて、
誤差信号を生成するステップと、
可変周波数コントローラへ前記誤差信号を結合して位相ロックループを提供するステップと、
前記第１および第２電源への入力信号の周波数より著しく大きい帯域幅であるように前記位相ロックループの帯域幅を設定するステップと、
を有する請求項２６に記載の方法。
【請求項２８】  前記設定するステップが非線形である前記関係に従って実施される請求項２７に記載の方法。
【請求項２９】  前記設定するステップが反転関係である前記関係に従って実施される請求項２８に記載の方法。
【請求項３０】  前記選択するステップが第１および第２昇圧コンバータを選択するステップを有する請求項２９に記載の方法。